(57)【要約】      （修正有）【課題】外筒部とインサート本体との結合力が高く、吊りボルト螺合時の装着作業性が良好で、剪断力の高いデッキプレート用インサートを提供する。【解決手段】デッキプレート貫通孔に挿通取付され、張出し片部２１が設けられた外筒部２と、雌螺子部３１が形成され、鍔部３２が設けられ、外筒部に圧入装着されるインサート本体３と、デッキプレート上面に当接するワッシャー部材４と、ワッシャー部材をデッキプレート上面に押し付けるスプリング部材５と、を有し、外筒部は、張出し片部を含めて一体成形合成樹脂製であり、インサート本体３は、下端位置がデッキプレート上面より上方に配設され、雌螺子部に吊りボルトを螺合することにより吊下げ可能な構成において、インサート本体の外周面に係止用凹溝３３が設けられ、係止用凹溝に入り込む係止用凸条が外筒部の内周面に設けられ、外筒部とインサート本体とが係止固定され、外筒部の下端部２４が薄肉形成されている。【選択図】図１
0003194170.tif 000002
【実用新案登録請求の範囲】
【請求項１】
デッキプレートに穿かれる貫通孔に上方から挿通取付され、前記デッキプレート下側にて外周方向に張出し可能な張出し片部が設けられた合成樹脂製の外筒部と、
下方に開口する雌螺子部が形成されると共に頭部の外周に張出す鍔部が設けられ、前記外筒部の中空部に上方開口から圧入装着される金属製のインサート本体と、
前記張出し片部の上方において前記外筒部の外周に挿通され、前記デッキプレート挿通取付時に該デッキプレート上面に当接するワッシャー部材と、
該ワッシャー部材と前記鍔部との間において前記外筒部の外周に挿通されて前記ワッシャー部材を前記デッキプレート上面に押し付けるスプリング部材と、
を有し、
前記外筒部は、前記張出し片部を含めて一体成形された合成樹脂製であり、
前記インサート本体は、その下端位置がデッキプレート上面より上方に配設されるように前記外筒部に圧入装着される構成であり、
前記雌螺子部に吊りボルトを螺合することにより吊下げ可能なデッキプレート用インサートにおいて、
前記外筒部に圧入装着される部分の前記インサート本体の外周面に係止用凹溝が設けられると共に、該係止用凹溝に入り込む係止用凸条が前記外筒部の内周面に設けられることにより、前記外筒部と該外筒部に圧入装着される前記インサート本体とが係止固定される構成であり、
更に、前記外筒部の下端部が薄肉形成された構成であること、
を特徴とするデッキプレート用インサート。
【請求項２】
前記係止用凹溝が、該係止用凹溝の底面からインサート本体の外周面に向かって傾斜状に立ち上がる傾斜面段部と、該係止用凹溝の底面からインサート本体の外周面に向かって略垂直に立ち上がる垂直面段部と、を有し、
前記傾斜面段部が前記インサート本体の上方側に形成され、前記垂直面段部が前記インサート本体の下方側に形成される構成であること、
を特徴とする請求項１に記載のデッキプレート用インサート。
【請求項３】
前記外筒部が、可撓性を有する合成樹脂製であることを特徴とする請求項１又は２に記載のデッキプレート用インサート。
【請求項４】
前記外筒部が、ポリプロピレン製又はＡＢＳ製であることを特徴とする請求項３に記載のデッキプレート用インサート。
【請求項５】
前記外筒部の下端部の厚みが０．２〜１．０ｍｍの範囲であることを特徴とする請求項１〜４のいずれかに記載のデッキプレート用インサート。
【請求項６】
前記インサート本体の頭部が、該頭部を平面視した際にいびつな円形である自然円を描く形状に形成された構成であることを特徴とする請求項１〜５のいずれかに記載のデッキプレート用インサート。
【請求項７】
前記張出し片部より上方の外筒部の長さを変更することにより、前記デッキプレート上面における打設コンクリート内の埋設長さを設定することが可能な構成であることを特徴とする請求項１〜６に記載のデッキプレート用インサート。
【考案の詳細な説明】
【技術分野】
【０００１】
本考案はデッキプレート用インサートに関し、詳しくはデッキプレート等の天井プレート材に吊り天井・空調機器・配管類等の吊り構造物を吊り下げるための吊りボルトを吊下げ固定するためのインサートに関する。
【背景技術】
【０００２】
波形プレート構造のデッキプレートへのインサートの取付けは、デッキプレートに貫通孔を穿ち、該貫通孔に上方からインサートを打ち込み挿通することで取付固定している。
【０００３】
従来のインサートは、例えば特許文献１に記載のように、デッキプレートの貫通孔に上方から挿通したインサート本体はその下部がデッキプレートの下方にまで突出した状態となっており、このデッキプレートより下方に位置するインサート本体の下部に形成された雌螺子部に吊りボルトが挿通される構成となっている。
【０００４】
しかし特許文献１の技術では、吊りボルトが螺合固定する部分は、デッキプレートより上方の打設コンクリート内に埋設されるのではなく、打設コンクリートの無いデッキプレートより下方に突出状態で位置することになるため、この吊りボルトが螺合固定する部分の強度はインサート本体の雌螺子部の強度のみに依存することになるので、打設コンクリート内にインサート本体の略全部が埋設される一般的なインサートに比して剪断力の点で低くならざるをえないという問題点を有している。
【０００５】
そこで本考案者は、金属製のインサート本体の下端位置がデッキプレート上面より上方に配設されるように構成した技術を先に提案した（特許文献２参照）。
【０００６】
かかる先提案技術によれば、最も強度が要求される部分であるインサート本体の吊りボルトが螺合された部分がデッキプレートより上方位置の打設コンクリート内に埋設された状態となるので、インサート本体の雌螺子部が形成された部分の強度に加えて、この雌螺子部が形成された部分の外周を埋める打設コンクリートの強度も加わるため剪断力を高くすることができるものとなった。
【先行技術文献】
【特許文献】
【０００７】
【特許文献１】実公平０１−０１９６９４号（第１図）
【特許文献２】登録実用新案３１９０５１６号
【考案の概要】
【考案が解決しようとする課題】
【０００８】
本考案者はかかる技術について更に研究を進めたところ、圧入装着によって結合する外筒部とインサート本体との結合強度の点や、デッキプレート用インサートに対して下方から螺合取付される吊りボルトの装着作業性の点等で、改良すべき余地があることを見出した。
【０００９】
そこで本考案の課題は、外筒部とインサート本体との結合力が高く、吊りボルト螺合時の装着作業性が良好で、しかも剪断力の高いデッキプレート用インサートを提供することにある。
【課題を解決するための手段】
【００１０】
上記課題を解決する本考案は下記構成を有する。
【００１１】
１．デッキプレートに穿かれる貫通孔に上方から挿通取付され、前記デッキプレート下側にて外周方向に張出し可能な張出し片部が設けられた合成樹脂製の外筒部と、
下方に開口する雌螺子部が形成されると共に頭部の外周に張出す鍔部が設けられ、前記外筒部の中空部に上方開口から圧入装着される金属製のインサート本体と、
前記張出し片部の上方において前記外筒部の外周に挿通され、前記デッキプレート挿通取付時に該デッキプレート上面に当接するワッシャー部材と、
該ワッシャー部材と前記鍔部との間において前記外筒部の外周に挿通されて前記ワッシャー部材を前記デッキプレート上面に押し付けるスプリング部材と、
を有し、
前記外筒部は、前記張出し片部を含めて一体成形された合成樹脂製であり、
前記インサート本体は、その下端位置がデッキプレート上面より上方に配設されるように前記外筒部に圧入装着される構成であり、
前記雌螺子部に吊りボルトを螺合することにより吊下げ可能なデッキプレート用インサートにおいて、
前記外筒部に圧入装着される部分の前記インサート本体の外周面に係止用凹溝が設けられると共に、該係止用凹溝に入り込む係止用凸条が前記外筒部の内周面に設けられることにより、前記外筒部と該外筒部に圧入装着される前記インサート本体とが係止固定される構成であり、
更に、前記外筒部の下端部が薄肉形成された構成であること、
を特徴とするデッキプレート用インサート。
【００１２】
２．前記係止用凹溝が、該係止用凹溝の底面からインサート本体の外周面に向かって傾斜状に立ち上がる傾斜面段部と、該係止用凹溝の底面からインサート本体の外周面に向かって略垂直に立ち上がる垂直面段部と、を有し、
前記傾斜面段部が前記インサート本体の上方側に形成され、前記垂直面段部が前記インサート本体の下方側に形成される構成であること、
を特徴とする上記１に記載のデッキプレート用インサート。
【００１３】
３．前記外筒部が、可撓性を有する合成樹脂製であることを特徴とする上記１又は２に記載のデッキプレート用インサート。
【００１４】
４．前記外筒部が、ポリプロピレン製又はＡＢＳ製であることを特徴とする上記３に記載のデッキプレート用インサート。
【００１５】
５．前記外筒部の下端部の厚みが０．２〜１．０ｍｍの範囲であることを特徴とする上記１〜４のいずれかに記載のデッキプレート用インサート。
【００１６】
６．前記インサート本体の頭部が、該頭部を平面視した際にいびつな円形である自然円を描く形状に形成された構成であることを特徴とする上記１〜５のいずれかに記載のデッキプレート用インサート。
【００１７】
７．前記張出し片部より上方の外筒部の長さを変更することにより、前記デッキプレート上面における打設コンクリート内の埋設長さを設定することが可能な構成であることを特徴とする上記１〜６に記載のデッキプレート用インサート。
【考案の効果】
【００１８】
請求項１に示す考案によれば、外筒部とインサート本体との結合力が高く、吊りボルト螺合時の装着作業性が良好で、しかも剪断力の高いデッキプレート用インサートを提供することができる。
【００１９】
特に、外筒部に用いた樹脂種類が夏季等の暑い時期に軟らかくなった場合であっても、該外筒部に圧入装着したインサート本体との結合力が高く脱落することがない。
【００２０】
請求項２に示す考案によれば、インサート本体を外筒部から抜き取る必要が生じた際であっても、外筒部をインサート本体に一旦押込んだ後に直ちに引っ張ることで抜き取ることができる。即ち、外筒部を一旦押込んだ時に該外筒部の係止用凸条がインサート本体の係止用凹溝の傾斜面段部の傾斜面に沿って乗り上がるように外側方向、即ち、係止用凹溝から解放される方向に移動することになるので、この移動した状態から直ちに外筒部を引っ張ることにより前記係止用凸条が前記係止用凹溝への入り込み係合が解除されることになる。
尚、通常時は、インサート本体の係止用凹部の垂直面段部に、外筒部の係止用凸条が引っ掛かるためインサート本体から外筒部が脱落することがない。
【００２１】
請求項３に示す考案によれば、外筒部へのインサート本体の圧入装着が容易であるため製造組立効率が良好である。
【００２２】
請求項４に示す考案によれば、厳冬期の外筒部の割れ・欠けが生じることなく、しかも打設コンクリートが有するアルカリ性に対しても耐性があり、更に軽量で、薄肉化が可能である。
【００２３】
請求項５に示す考案によれば、デッキプレートに穿かれた１６ｍｍ径の規格の貫通孔に挿通可能な範囲において外筒部の下端開口の内径を可能な限り大きくすることができるので、下方からの吊りボルトの挿入が容易となる。
【００２４】
請求項６に示す考案によれば、打設コンクリート内に埋設するインサート本体が固定されるので、吊りボルト螺合時の供回りを極めて簡易な構成によって防止することができる。
【００２５】
請求項７に示す考案によれば、インサート全体の長さを変更する場合、従来は雌螺子部が形成されたインサート本体の長さを変えることで対応していたが、雌螺子部のない部分である合成樹脂製から成る外筒部を変えることによりインサート全体の長さを変えることができるので設計変更が極めて容易でありコストダウンを図ることができる。
【図面の簡単な説明】
【００２６】
【図１】本考案に係るデッキプレート用インサートの一実施例を示す分解正面図及び正面図
【図２】インサート本体の４面図（平面図、正面図、底面図及びＡ−Ａ線断面図）
【図３】外筒部の６面図（平面図、左側面図、正面図、背面図、底面図及びＢ−Ｂ線断面図）
【図４】係止用凹部に係止用凸条が入り込んだ状態を説明する要部拡大端面説明図
【図５】外筒部からインサート本体を抜き取る際の係止用凹部と係止用凸条との位置関係を説明する要部拡大端面説明図
【図６】図１に示すデッキプレート用インサートの取付例の一例を示す説明断面図
【考案を実施するための形態】
【００２７】
次に、添付の図面に従って本考案を説明する。
【００２８】
本考案に係るデッキプレート用インサート（本明細書においては、単にインサートと言うこともある。）１は、図１〜図６に示すように、
デッキプレート６に穿かれる貫通孔６１に上方から挿通取付され、前記デッキプレート６下側にて外周方向に張出し可能な張出し片部２１が設けられた合成樹脂製の外筒部２と、
下方に開口する雌螺子部３１が形成されると共に頭部の外周に張出す鍔部３２が設けられ、前記外筒部２の中空部２２に上方開口から圧入装着される金属製のインサート本体３と、
前記張出し片部２１の上方において前記外筒部２の外周に挿通され、前記デッキプレート６挿通取付時に該デッキプレート６上面に当接するワッシャー部材４と、
該ワッシャー部材４と前記鍔部３２との間において前記外筒部２の外周に挿通されて前記ワッシャー部材４を前記デッキプレート６上面に押し付けるスプリング部材５と、
を有し、
前記外筒部２は、前記張出し片部２１を含めて一体成形された合成樹脂製であり、
前記インサート本体３は、その下端位置がデッキプレート６上面より上方に配設されるように前記外筒部２に圧入装着される構成であり、
前記雌螺子部３１に吊りボルト７を螺合することにより吊下げ可能な構成において、
前記外筒部２に圧入装着される部分の前記インサート本体３の外周面に係止用凹溝３３が設けられると共に、該係止用凹溝３３に入り込む係止用凸条２３が前記外筒部２の内周面に設けられることにより、前記外筒部２と該外筒部２に圧入装着される前記インサート本体３とが係止固定される構成であり、
更に、前記外筒部２の下端部２４が薄肉形成された構成であること、
を主構成とするものである。
【００２９】
以下、本考案のインサート１について更に詳説する。
【００３０】
インサート１の一構成部材である外筒部２としては、この種のデッキプレート用インサートの外筒部として公知公用の材料である合成樹脂製から形成され、張出し片部２１を含めて全体が射出成形等の公知公用の樹脂成形法によって一体成形により形成される。用いられる合成樹脂としては、例えば、ポリプロピレン、ＡＢＳ、ポリカーボネート等が挙げられ、好ましくは可撓性を有する合成樹脂であり、最も好ましくはポリプロピレン又はＡＢＳである。外筒部２を可撓性を有する樹脂、特にポリプロピレン製又はＡＢＳ製とすることにより、外筒部２へのインサート本体３の圧入装着が容易なため製造組立効率が良好となる。
【００３１】
本考案のインサート１は、この外筒部２の部分においてデッキプレート６に取り付けられる構成であり、デッキプレート６の貫通孔６１に上方から外筒部２を挿通取付することにより、該デッキプレート６の上面に対してはスプリング部材５により押し付けられるワッシャー部材４により下方への脱落を防止し、インサート本体３の打ち込みによる張出し片部２１の外周方向への張出しによりデッキプレート６の上方への抜けを防止することでインサート１をデッキプレート６に固定する構成になっている。
【００３２】
また、外筒部２の下端部２４を薄肉形成する構成としては、好ましくは該下端部２４の厚みを０．２〜１．０ｍｍの範囲とすることであり、概ね０．５ｍｍ程度（約０．４〜０．６ｍｍ）とすることがより好ましい。かかる構成によれば、デッキプレート６に穿かれた１６ｍｍ径の規格の貫通孔６１に挿通可能な範囲において外筒部２の下端開口の内径を可能な限り大きくすることができるので、下方からの吊りボルト７の挿入が容易となる。
【００３３】
同じくインサート１の一構成部材であるインサート本体３としては、この種のデッキプレート用インサートのインサート本体として公知公用の金属製である。
【００３４】
インサート本体３は、外筒部２の中空部２２に圧入によって挿入固定された状態で、前記したように外筒部２のデッキプレート６の貫通孔６１への挿通取付により、該外筒部２を介在させた状態でデッキプレート６に取付固定されるものである。
【００３５】
本考案のインサート１を上記したようにデッキプレート６へ固定した後、打設コンクリート８の打設前或いは打設後に下方に開口する雌螺子部３１に吊りボルト７を螺合し、螺合した吊りボルト７に吊り天井・空調機器・配管類等の吊り構造物を固定することによってこれらの吊り構造物をデッキプレート６から安定した状態で吊下げることが可能となるものである。
【００３６】
インサート本体３の外周面に設けられる係止用凹溝３３は、単なる凹形状であってもよいが、図４に示すように、該係止用凹溝３３の底面３３Ａからインサート本体３の外周面に向かって傾斜状に立ち上がる傾斜面段部３３Ｂと、該係止用凹溝３３の底面３３Ａからインサート本体３の外周面に向かって略垂直に立ち上がる垂直面段部３３Ｃと、を有し、前記傾斜面段部３３Ｂが前記インサート本体３の上方側に形成され、前記垂直面段部３３Ｃが前記インサート本体３の下方側に形成される構成であることが好ましい。また、該係止用凹溝３３は、切削や転造等の公知公用の形成手段によって形成されることが好ましい。
【００３７】
係止用凹溝３を上記構成とすることによって、インサート本体３を外筒部２から抜き取る必要が生じた際であっても、図５の（Ａ）に示すように外筒部２をインサート本体３に矢符Ｙ１方向に一旦押込んだ後に、図５の（Ｂ）に示すように直ちに矢符Ｙ２方向に引っ張ることで抜き取りが容易となる。即ち、外筒部２を一旦押込んだ時に該外筒部２の係止用凸条２３がインサート本体３の係止用凹溝３３の傾斜面段部３３Ｂの傾斜面に沿って乗り上がるように外側方向（矢符Ｘ参照）、即ち、係止用凹溝３３から解放される方向に移動することになるので、この移動した状態から直ちに外筒部２を引っ張ることにより前記係止用凸条２３が前記係止用凹溝３３への入り込み係合が解除されることになる。
尚、通常時は、インサート本体３の係止用凹部３３の垂直面段部３３Ｃに、外筒部２の係止用凸条２３が引っ掛かるためインサート本体３から外筒部２が脱落することがない。
【００３８】
またインサート本体３の頭部は、図２の平面図に示すように、該頭部を平面視した際にいびつな円形である自然円を描く形状に形成された構成であることが好ましい。かかる構成によれば、打設コンクリート８内に埋設するインサート本体３が固定されるので、吊りボルト７螺合時の供回りを極めて簡易な構成によって防止することができる。
【００３９】
以上の構成を有する本考案のデッキプレート用インサート１によれば、インサート本体３の下端位置がデッキプレート６上面より上方に配設される構成によって、最も強度が要求される部分であるインサート本体３の吊りボルト７が螺合された部分がデッキプレート６より上方位置の打設コンクリート８内に埋設された状態となるので、インサート本体３の雌螺子部３１が形成された部分の強度に加えて、この雌螺子部３１が形成された部分の外周を埋める打設コンクリート８の強度も加わるため剪断力を高くすることができる。
【００４０】
更に金属製のインサート本体３は、上記したように剪断力が高くなった上に、更に、インサート本体３の長さをデッキプレート６より下方に延びる従来のものに比して短くできるので、著しい軽量化が可能であると共にコストダウンを図ることができる。軽量化の面では、例えば、一般的なサイズの場合で概ね３分の２以下の重量とすることが可能となるため、一つの建造物に対して多量に用いられることが常であるインサート製品の場合、製造工場における移動・梱包・倉庫保管・出荷等の全作業時から、現場への輸送・搬入・取付等の全作業時までの全ての作業時において軽量化の恩恵を受けることができる。
【００４１】
以上、本考案に係るデッキプレート用インサートについて実施例に基づき説明したが、本考案は上記実施例に限定されず、本考案の範囲内において種々の態様を採ることができる。
【００４２】
例えば、張出し片部２１より上方の外筒部２の長さを変更することにより、前記デッキプレート６上面における打設コンクリート８内の埋設長さを設定することが可能である。かかる構成によれば、インサート１全体の長さを変更する場合、従来は雌螺子部３１が形成されたインサート本体３の長さを変えることで対応していたが、雌螺子部３１のない部分である合成樹脂製から成る外筒部２を変えることによりインサート１全体の長さを変えることができるので設計変更が極めて容易でありコストダウンを図ることができる。
【符号の説明】
【００４３】
１  デッキプレート用インサート
２  外筒部
２１  張出し片部
２２  中空部
２３  係止用凸条
２４  下端部
３  インサート本体
３１  雌螺子部
３２  鍔部
３３  係止用凹溝
３３Ａ  底面
３３Ｂ  傾斜面段部
３３Ｃ  垂直面段部
４  ワッシャー部材
５  スプリング部材
６  デッキプレート
６１  貫通孔
７  吊りボルト
８  打設コンクリート
【図１】
0003194170.tif 000003
【図２】
0003194170.tif 000004
【図３】
0003194170.tif 000005
【図４】
0003194170.tif 000006
【図５】
0003194170.tif 000007
【図６】
0003194170.tif 000008